(57)【要約】【課題】容器内の残液量を最小限に抑えることができるコネクタ構造を提供すること。【解決手段】容器１の開口部２に取り付けられ、容器１内に導入した気体の圧力で容器１内の液体を取り出すサイフォン管１１を備えているコネクタ構造において、気体を導入するガス流路１２及び液体を取り出す液体流路１３がプラグ部４０とソケット部２０との連結により形成され、サイフォン管１１の軸線Ｃｓと容器１の軸線Ｃｖとの間に所望の傾斜角度θを設けた。【選択図】図１
2007297126.tif 000002
【特許請求の範囲】
【請求項１】
容器の開口部に取り付けられ、容器内に導入した気体の圧力で容器内の液体を取り出すためのサイフォン管を備えているコネクタ構造において、
前記気体を導入する流路及び前記液体を取り出す流路がプラグ部とソケット部との連結により形成され、前記サイフォン管の軸線と前記容器の軸線との間に所望の傾斜角度を設けたことを特徴とするコネクタ構造。
【請求項２】
前記傾斜角度は、鉛直とした前記サイフォン管の軸線と、容器内最低底面近傍に前記サイフォン管の下端部が位置するよう傾斜させて設置した前記容器の軸線との角度であることを特徴とする請求項１に記載のコネクタ構造。
【請求項３】
前記サイフォン管の固定位置を鉛直方向に調整する高さ調整手段を備えていることを特徴とする請求項１または２に記載のコネクタ構造。
【請求項４】
前記ソケット部が、前記プラグ部を挿入する凹部を上向きに開口して前記容器開口部に固定されていることを特徴とする請求項１から３のいずれかに記載のコネクタ構造。
【請求項５】
前記ソケット部と前記プラグ部と間に中間コネクタを配設し、該中間コネクタが、前記プラグ部を挿入する凹部を上向きに開口して前記ソケット部に連結されていることを特徴とする請求項４に記載のコネクタ構造。
【発明の詳細な説明】
【技術分野】
【０００１】
本発明は、たとえば薬液等の液体が入った容器から液出しする際に使用されるコネクタ構造に関するものである。
【背景技術】
【０００２】
一般に、半導体高純度薬品や一般化学薬品等の液体は、生産工場にてガラス瓶やタンクなどの容器に充填され、この容器に形成された開口部に蓋を取り付けた状態で出荷されている。このような容器中に収容された液体を取り出すため、内部に空気等の気体を導入してその圧力により液体を容器外へ送り出すサイフォン管方式が知られている。
この方式では、容器の開口部に取り付けられていた蓋を取り外した後、容器の開口部に液体流路となるサイフォン管及び気体流路を備えたプラグが取り付けられる。そして、液体を取り出すためのチューブと、気体を導入するためのチューブとをそれぞれ連結可能なソケットをプラグに嵌合することにより、容器の開口部に取り付けられたプラグ及びソケットには、液体を取り出すための主流路及び気体を導入するための副流路が形成される。
【０００３】
上述したソケット及びプラグにおいては、ソケットをプラグにワンタッチで接続可能な連結装置（コネクタ構造）が知られている。
また、ソケットとプラグとが嵌合した状態で両者の間に環状流路を形成し、この環状流路を介してソケット側の流路とプラグ側の流路とが任意のねじれ角度で連通可能となるように構成され、たとえば液体と気体のように、容器の開口部で異なる種類の流体流路を容易に連結して作業効率の向上を実現した連結装置が開示されている。（たとえば、特許文献１参照）
【特許文献１】特開２００１−１９２０９９号公報
【発明の開示】
【発明が解決しようとする課題】
【０００４】
ところで、上述した従来のコネクタ構造は、開口部から挿入されるサイフォン管が容器の軸線と略一致するとともに、サイフォン管の下端部と容器底面との間に液体取出用の隙間が形成されているため、容器内の液体残量が少なくなってサイフォン管の下端部が露出すると取り出しが困難になる。このため、取出不能となって容器内の略平坦な底面全域にわたって残る残液量が生じ、容器内の液体を無駄なく使用することができないという問題を有している。特に、取り扱う液体がたとえばレジスト等のように高価な薬品等である場合、コストに及ぼす影響が大きいことから溶液内の残液量を最小限に抑えて有効に使用することが望まれる。
本発明は、上記の事情に鑑みてなされたものであり、その目的とするところは、容器内の残液量を最小限に抑えることができるコネクタ構造を提供することにある。
【課題を解決するための手段】
【０００５】
本発明は、上記の課題を解決するため、下記の手段を採用した。
本発明に係るコネクタ構造は、容器の開口部に取り付けられ、容器内に導入した気体の圧力で容器内の液体を取り出すためのサイフォン管を備えているコネクタ構造において、
前記気体を導入する流路及び前記液体を取り出す流路がプラグ部とソケット部との連結により形成され、前記サイフォン管の軸線と前記容器の軸線との間に所望の傾斜角度を設けたことを特徴とするものである。
【０００６】
このようなコネクタ構造によれば、気体を導入する流路及び液体を取り出す流路がプラグ部とソケット部との連結により形成され、サイフォン管の軸線と容器の軸線との間に所望の傾斜角度を設けたので、傾けた状態の容器内にサイフォン管を略鉛直に挿入し、液体を低部に集めた状態にして取り出すことができる。
【０００７】
上記のコネクタ構造において、前記傾斜角度は、鉛直とした前記サイフォン管の軸線と、容器内最低底面近傍に前記サイフォン管の下端部が位置するよう傾斜させて設置した前記容器の軸線との角度であることが好ましく、これにより、容器内の液体を傾斜した容器内最低底面近傍に集めて略全量を取り出すことができる。
【０００８】
また、上記のコネクタ構造において、前記サイフォン管の固定位置を鉛直方向に調整する高さ調整手段を備えていることが好ましく、これにより、容器の個体差に対応してサイフォン管の挿入量（挿入高さ）を調節し、サイフォン管の下端部が容器内最低面に最も近づくように固定することができる。
【０００９】
また、上記のコネクタ構造において、前記ソケット部は、前記プラグ部を挿入する凹部を上向きに開口して前記容器開口部に固定されていることが好ましく、これにより、着脱時に生じるプラグ部からの液垂れをソケット部で受けることができる。
この場合、前記ソケット部と前記プラグ部との間に中間コネクタを配設し、該中間コネクタが、前記プラグ部を挿入する凹部を上向きに開口して前記ソケット部に連結されるものでもよい。
【発明の効果】
【００１０】
上述した本発明によれば、傾けた状態の容器内にサイフォン管を略鉛直に挿入して液体を取り出すことができるので、取出不能となって容器内に残る残液量を最小限に抑え、容器内の液体を無駄なく有効に使用することができる。特に、取り扱う液体が高価な薬品等の場合には、残液量の低減により製造コストの低減が可能になる。
【発明を実施するための最良の形態】
【００１１】
以下、本発明に係るコネクタ構造の一実施形態を図面に基づいて説明する。
図１から図４に示す第１の実施形態において、薬品等の液体を充填する容器（たとえばガラス瓶や樹脂タンク等）１は、上部に設けられた充填及び取出用の開口部２を備えている。この容器１内から液体を取り出す場合には、たとえば図１に示すように、開口部２に取り付けたコネクタ１０のサイフォン管１１を容器１内の底面近傍まで挿入して使用するサイフォン管方式が採用されている。このサイフォン管方式は、容器１内に導入した空気やガス等の気体圧力により液面を押圧し、サイフォン管１１の下端部に設けた開口から容器１内の液体を取り出すように構成されている。
【００１２】
コネクタ１０は、上述したサイフォン管１１に加えて、ソケット部２０とプラグ部４０とを備えている。そして、容器１の開口部２に取り付けられるソケット部２０と、サイフォン管１１を支持したプラグ部４０とが一体に連結されることにより、容器１内に気体を導入するためのガス流路１２及び容器１内から液体を取り出すための液体流路１３が形成される。
【００１３】
ソケット部２０は、容器１の開口部２に対して着脱可能に取り付けられる略円柱形状の部材であり、その上端面と下端面とは、互いに平行な状態から後述する傾斜角度θだけずれた形状とされる。
ソケット部２０の上端面には、軸中心付近にプラグ部４０を連結するための凹部２１が形成されている。この凹部２１は、上端面と直交する軸線Ｃｓに沿って形成された略円柱状の空間であり、ソケット部２０を容器１の開口部２に取り付けた状態では、その軸線が容器１の軸線Ｃｖから傾斜角度θだけずれたものとなる。また、ソケット部２０には、凹部２１の底面中心から下端面側へ、上述した軸線Ｃｓに沿って貫通する円形断面の貫通孔２２が設けられている。この貫通孔２２は、サイフォン管１１を容器１内へ通すための通路となるので、上述した軸線Ｃｓは、凹部２１及びサイフォン管１１に共通した軸線となる。
【００１４】
さらに、ソケット部２０には、開口部２の断面形状に合わせて下端面に突設した挿入凸部２３と、後述するアジャストナット５０によりプラグ部４０を連結して固定するため、上部外周面に形成した外ネジ部２４とが設けられている。
挿入凸部２３は、容器１の開口部２に挿入される円形断面の突出部分である。この挿入凸部２３は、軸線を軸線Ｃｓからθ傾斜させるとともに、ソケット部２０の本体外径より小径とされる。この結果、挿入凸部２３の上端部には、水平方向外側へ向けた段差面２５が形成される。なお、図中の符号２６はソケット部２０の外周面から外向きに突出して設けられた鍔部、２７は挿入凸部２３の上端部付近に取り付けたパッキンである。
【００１５】
プラグ部４０は、各々独立したガス流路１２及び液体流路１３が内部に形成された略Ｌ字状に曲がった部材である。このプラグ部４０は、サイフォン管１１を取り付けた一端がソケット部２０に連結され、他端には着脱自在のクイックコネクタ６０が連結される。
サイフォン管１１は、リング１４及びシールナット１５を用い、互いの連結部を密封して液体流路１３の一端部側（ソケット２０側）に固定支持されている。すなわち、この実施形態ではサイフォン管１１に樹脂チューブを使用し、リング１４及びシールナット１５を用いる銅管等チューブ類の一般的な連結構造が採用されている。
【００１６】
プラグ部４０の他端は、たとえば図４に示すクイックコネクタ６０の凹部６１と嵌合する凸部４１とされる。この凸部４１には、クイックコネクタ６０の嵌合状態を維持するための係止凹部４２が設けられている。
プラグ部４０は、アジャストナット５０を用いてソケット部２０に固定される。アジャストナット５０には、中心部を貫通しているソケット部２０の外ネジ部２４と螺合する内ネジ部５１と、プラグ部４０に形成された小径部の高さ調整用凹部４３に係止される鍔状の係止部５２とを備えている。この係止部５２は、上述した調整用凹部４３と協働して後述する高さ調整手段として機能する。なお、図中の符号５３は、シール部材として機能するフェラルである。
【００１７】
こうしてプラグ部４０と一体化したソケット部２０は、鍔部２６の外側にコネクタ１０を容器１に螺合させるためのボトルキャップ３０が取り付けられる。このボトルキャップ３０は略円筒状の部材であり、中空内面３１の下端部側には容器１の外ネジ２ｂと螺合する内ネジ部３１ａが形成されている。また、中空内面３１の上端部側は、ソケット部２０及び鍔部２６を収納可能な空間とされ、その内径は内ネジ部３１ａより大きな値に設定されている。
そして、サイフォン管１１及びプラグ部４０と一体化されたソケット部２０は、サイフォン管１１がボトルキャップ３０の中空内面３１を貫通した状態とされ、上部から被せたキャップリング３２を複数のキャップスクリュー３３で固定して抜け止めされる。この結果、ソケット部２０は、内ネジ部３１ａの上部においてキャップリング３２との間を鍔部２６がスライド可能な状態で、ボトルキャップ３０の中空内面３１内の空間に収納されて一体化する。
【００１８】
クイックコネクタ６０は、たとえば図４に示すように、プラグ部４０の凸部４１と凹部６１とが所定の嵌合状態で係止凹部４２に入り込み、軸方向の移動を阻止する係止爪６２を備えている。この係止爪６２は、上向きの付勢を与えて係止状態を維持するコイルスプリング６３を備えているので、この付勢に抗してコイルスプリング６３を圧縮するように押し下げれば、係止爪６２を下方へ移動させて係止凹部４２との係止を外すことが可能になる。この結果、嵌合状態にあるクイックコネクタ６０をプラグ部４０から取り外し、互いに分離させることができる。なお、クイックコネクタ６０をプラグ部４０に嵌合させる場合には、係止爪６２の先端に傾斜面を形成することにより、挿入とともに係止爪６２が押し下げられて自動的に係止状態となる。
【００１９】
上述したクイックコネクタ６０は、外部の供給源から加圧用のガスを導入してガス流路１２に導くガス供給接続口６４を備えている。また、クイックコネクタ６０には、液体流路１３に連結されて容器１内から取り出した液体を使用場所まで導く配管３がナット４によって接続されている。なお、図中の符号６６，６７は、ガス流路１２と液体流路１３との間を分離するために設けられたシール用のＯリングである。
【００２０】
上述した構成のコネクタ１０について、容器１への着脱操作及び液体の取出操作を作用とともに説明する。
最初に、容器１の開口部２に取り付けられている蓋（不図示）を取り外し、コネクタ１０を取り付ける。このとき、コネクタ１０はソケット部２０とプラグ部４０とがアジャストナット５０により一体化された状態にあるので、サイフォン管１１を容器１内に挿入してボトルキャップ３０の内ネジ部３１ａを開口部２の外ネジ部２ｂに螺合させて固定する。この結果、ソケット部２０の挿入凸部２３が開口部２内に挿入されて位置決めし、パッキン２７が開口部２の上端面２ａに押圧されて容器１の内部を密封する。
【００２１】
こうして取り付けられたコネクタ１０は、サイフォン管１１の軸線Ｃｓが容器１の軸線Ｃｖから傾斜角度θずれているので、サイフォン管１１を略鉛直にすれば容器１が傾斜した状態となる。従って、適当な固定手段（不図示）を用いて容器１を鉛直から傾斜角度θだけ傾斜させた状態に保持した後、アジャストナット５０の締め付けを緩めてサイフォン管１１の高さ調整を調整代Ｌ（図２参照）の範囲内で実施することにより、傾斜した容器１の最も低い底面位置近傍にサイフォン管１１の下端部を位置合わせして開口させることができる。すなわち、容器１の個体差に応じて異なる底面位置に対し、サイフォン管１１と一体のプラグ部４０を上下にスライドさせることにより、サイフォン管１１の挿入量を調整して最適化することができる高さ調整手段となる。
なお、サイフォン管１１の挿入量を調整した後、アジャストナット５０をソケット部２０に締め付けてプラグ部４０を固定すると、フェラル５３が圧縮されてシール機能を発揮する。
【００２２】
続いて、容器１の開口部２に取り付けられたコネクタ１０に対し、クイックコネクタ６０を横方向から連結する。このような横方向の連結が可能な構造は、容器１の上方スペースに制限がある場合に有効である。このクイックコネクタ６０の連結により、容器１内の液体を取り出す準備は完了するので、ガス供給源（不図示）のバルブを開いてガス供給を開始する。
ガス供給が開始されると、液面加圧用のガスがガス供給接続口６４からクイックコネクタ６０のガス流路１２に導入される。このガスは、クイックコネクタ６０と連結されたプラグ部４０内のガス流路１２を通り、たとえば図３に示すように、シールナット１５の上端面に形成された凹部通路１６に導かれる。この凹部通路１６は、シールナット１５を用いた連結により塑性変形したサイフォン管１１の外側全周に形成されている。
【００２３】
また、シールナット１５の適所には、上下方向に貫通する少なくとも１つの貫通孔１７が設けられている。このため、凹部通路１６に導入されたガスは、図中に矢印ｇで示すように、貫通孔１７を通ってシールナット１５の下面側に流入する。そして、このガスは、シールナット１５の下面とソケット部２０の凹部２１との間に形成される空間、及びサイフォン管１１と貫通孔２２との間に形成される空間をガス流路として利用し、容器１内の液面上に形成された空間に導かれる。
こうして容器１内の圧力が上昇すると、液面を押圧された液体がサイフォン管１１の下端部からサイフォン管内部に押し上げられ、図中に白抜き矢印で示すように上向きに流れて、プラグ部４０の液体流路１３に流入する。この液体は、さらにクイックコネクタ６０の液体流路１３及び配管３を通って所望の使用場所へ供給される。
【００２４】
このような液体の取出操作において、容器１内の液体残量が少なくなると、容器１が角度θの傾斜をして保持されているため、液体は容器底面の最も低い位置に集まってくる。そして、サイフォン管１１の下端部が容器１内で最も低い底面位置近傍に開口しているので、液面がサイフォン管１１の開口より低い位置に下がるまで、サイフォン管方式により容易かつ確実に液体を取り出すことができる。
すなわち、上述したコネクタ１０を用いることにより、サイフォン管１１を通して容器１内の液体を取り出すサイフォン管方式において、容器１を傾斜させた状態に保持して略鉛直方向にサイフォン管１１を挿入し、傾斜した容器の最低底面位置近傍に液体を集めて液出しすることで、容器１内の液体残量を最小限に抑えることが可能になる。
【００２５】
＜第２の実施形態＞
続いて、本発明の第２の実施形態を図５及び図６に基づいて説明する。なお、上述した第１の実施形態と同様の部材には同じ符号を付し、その詳細な説明は省略する。
この実施形態のコネクタ１０Ａでは、上向きに開口するソケット部２０Ａの凹部２１Ａに対し、略Ｌ字状のプラグ部４０Ａを上方から挿入して連結する構成とされる。
【００２６】
この場合のサイフォン管１１は、リング１４及びシールナット１５を用いてプラグ部４０に取り付けた第１の実施形態と同様の構成を採用し、ソケット部２０Ａに対して直接取り付けられている。この場合の軸線Ｃｓは、上述した第１の実施形態と同様に、容器１の軸線Ｃｖから傾斜角度θだけずれている。
ソケット部２０Ａの上部に開口する凹部２１Ａは、プラグ部４０Ａの凸部４１Ａを挿入して嵌合させる形状とされ、その内周面にはガス流路と液体流路との間を分離するためのシール部材として、Ｏリング４４，４５が取り付けられている。また、このソケット部２０Ａには、凹部２１Ａとシールナット１５の上端面に形成された凹部通路１６との間を連通させるガス流路１２が形成されている。なお、凹部通路１６から容器１内に導かれるガスの流れは、上述した第１の実施形態（図３参照）と同様の経路となる。
【００２７】
一方、プラグ部４０Ａは、内部にガス流路１２及び液体流路１３が形成され、水平方向となる凸部４１Ａの他端側には液体を送出するための配管３がナット４を介して連結されている。また、プラグ部４０Ａには、外部の供給源から加圧用のガスを導入してガス流路１２に導くガス供給接続口４６が左右両側面に一対設けられている。このガス供給接続口４６は内部で連通しているので、供給源との配管接続が容易ないずれか一方を選択して使用し、他方は盲プラグ等により閉じればよい。このように構成されたプラグ部４０Ａは、上述した第１の実施形態と略同様のクイックコネクタとして機能するので、以下の説明では、配管３を含むプラグ部４０Ａを総称してクイックコネクタ６０Ａと呼ぶことにする。
【００２８】
以下、上述した構成のコネクタ１０Ａについて、容器１への着脱操作及び取出操作を作用とともに説明する。
この場合、サイフォン管１１を取り付けたソケット部２０Ａは、キャップリング３２によりボトルキャップ３０と一体化されているので、開口部２から容器１内にサイフォン管１１を挿入した後、ボトルキャップ３０を開口部２の外ネジ２ｂにねじ込んで固定する。この後、クイックコネクタ６０Ａをソケット部２０Ａに連結するため、凹部２１Ａにプラグ部４０Ａの凸部４１Ａを挿入して嵌合させる。
【００２９】
この結果、プラグ部４０Ａからソケット部２０Ａに通じるガス流路１２及び液体流路１３が形成されるので、容器１内にガスを供給することにより内部の液体がサイフォン管１１を通って液体流路１３に押し出される。
そして、液体の取出操作が完了した後、たとえば容器１の交換等を目的としてクイックコネクタ６０Ａを取り外すと、液体流路１３内に残る液体が凸部４１Ａの下端部から垂れることが懸念される。しかし、プラグ部４０Ａは、ソケット部２０Ａから上向きに引き抜かれて分離するので、落下した液体を凹部２１Ａ内に受け入れて外部への流出を防止することができる。
【００３０】
＜第３の実施形態＞
続いて、本発明の第３の実施形態を図７に基づいて説明する。なお、上述した第１及び第２の実施形態と同様の部材には同じ符号を付し、その詳細な説明は省略する。
この実施形態のコネクタ１０Ｂでは、ソケット部２０とクイックコネクタ６０Ｂのプラグ部４０Ｂとの間に、サイフォン管１１を支持した中間コネクタ７０が配設されている。この中間コネクタ７０は、容器１内に気体を導入するガス流路１２及び容器１内から液体を取り出す液体流路１３を備え、かつ、上端部にプラグ部４０Ｂを挿入して連結するための凹部７１が上向きに開口するとともに、下端部側をソケット部２０に挿入して連結可能な構成とされる。
【００３１】
具体的に説明すると、中間コネクタ７０は、ソケット部２０に連結される下端部側が図１に示したプラグ部４０と同様の構成とされる。一方、クイックコネクタ６０Ｂのプラグ部４０Ｂが挿入される中間コネクタ７０の上端部側は、図５に示したソケット部２０Ａと同様に、上向きの凹部７１が開口した構成とされる。
また、中間コネクタ７０には、凹部７１の近傍に、プラグ部４０Ｂが凹部７１に嵌合した状態を保持するため、所定の嵌合状態でプラグ部４０Ｂの係止凹部４２Ｂに入る込む係止爪７２が必要に応じて設けられている。この係止爪７２は、図４に示した係止爪６２と実質的に同様の構成とされ、コイルスプリング７３が軸中心方向への付勢を与えることで係止状態を維持するようになっている。なお、図中の符号７４，７５は、ガス流路と液体流路との間を分離するためのＯリングである。
【００３２】
以下、上述した構成のコネクタ１０Ｂについて、容器１への着脱操作及び取出操作を作用とともに説明する。
最初に、容器１の開口部２に取り付けられている蓋（不図示）を取り外し、コネクタ１０Ｂを取り付ける。このとき、コネクタ１０Ｂはソケット部２０と中間コネクタ７０とがアジャストナット５０により一体化された状態にあるので、サイフォン管１１を容器１内に挿入してボトルキャップ３０の内ネジ部３１ａを開口部２の外ネジ部２ｂに螺合させて固定する。この結果、ソケット部２０の挿入凸部２３が開口部２内に挿入されて位置決めし、パッキン２７が開口部２の上端面２ａに押圧されて容器１の内部を密封する。
【００３３】
こうして取り付けられたコネクタ１０Ｂは、サイフォン管１１の軸線Ｃｓが容器１の軸線Ｃｖから傾斜角度θずれているので、サイフォン管１１を略鉛直にすれば容器１が傾斜した状態となる。この後、容器１を鉛直から傾斜角度θだけ傾斜させた状態に保持し、アジャストナット５０の締め付けを緩めてサイフォン管１１の高さ調整を実施すれば、傾斜した容器１の最も低い底面位置近傍にサイフォン管１１の下端部を位置合わせして開口させることができる。なお、サイフォン管１１の挿入量を調整した後、アジャストナット５０をソケット部２０に締め付けて中間コネクタ７０を固定すると、フェラル５３が圧縮されてシール機能を発揮する。
【００３４】
続いて、容器１の開口部２に取り付けられたコネクタ１０Ｂに対し、クイックコネクタ６０Ｂを上方から連結する。このとき、係止爪７２がプラグ部４０Ｂの係止凹部４２Ｂに入る込むことにより、クイックコネクタ６０Ｂの連結が確実に保持されて容器１内の液体を取り出す準備は完了する。
この結果、クイックコネクタ６０Ｂのプラグ部４０Ｂから中間コネクタ７０を介してソケット部２０に通じるガス流路１２及び液体流路１３が形成されるので、上述した第１の実施形態と同様の経路を通って容器１内にガスを供給することにより、容器内部の液体がサイフォン管１１を通って液体流路１３に押し出される。
そして、液体の取出操作が完了した後、たとえば容器１の交換等を目的としてクイックコネクタ６０Ｂを取り外すと、クイックコネクタ６０Ｂの液体流路１３内に残る液体がプラグ部４０Ｂの下端部から垂れることが懸念される。しかし、プラグ部４０Ｂは、中間コネクタ７０の凹部７１から上向きに引き抜かれて分離するので、落下した液体を凹部７１内に受け入れて外部への流出を防止することができる。
【００３５】
このように、本発明のコネクタ構造によれば、傾けた状態の容器１内にサイフォン管１１を略鉛直に挿入して液体を取り出すことができるので、取出不能となって容器１内に残る残液量を最小限に抑え、容器内の液体を無駄なく有効に使用することができる。特に、取り扱う液体が高価な薬品等の場合には、残液量の低減により製造コストの低減が可能になる。
なお、本発明は上述した実施形態に限定されるものではなく、本発明の要旨を逸脱しない範囲内において適宜変更することができる。
【図面の簡単な説明】
【００３６】
【図１】本発明に係るコネクタ構造の第１の実施形態を示す断面図である。
【図２】図１のコネクタ構造に設けた高さ調整手段を示す要部拡大図である。
【図３】図１のコネクタ構造において、シールナット周辺のガス経路を示す要部拡大断面図である。
【図４】第１の実施形態に使用するクイックコネクタの構成例を示す断面図である。
【図５】本発明に係るコネクタ構造の第２の実施形態を示す断面図である。
【図６】第２の実施形態に使用するクイックコネクタの構成例を示すもので、（ａ）は一部を断面にした平面図、（ｂ）はプラグ部の内部構造を示す断面図である。
【図７】本発明に係るコネクタ構造の第３の実施形態を示す断面図である。
【符号の説明】
【００３７】
１    容器
２    開口部
２ａ    上端面
２ｂ    外ネジ
１０，１０Ａ，１０Ｂ    コネクタ
１１    サイフォン管
１２    ガス流路
１３    液体流路
２０，２０Ａ    ソケット部
２１，２１Ａ，７１    凹部
３０    ボトルキャップ
４０，４０Ａ，４０Ｂ    プラグ部
４３    高さ調整用凹部（高さ調整手段）
５０    アジャストナット
６０，６０Ａ，６０Ｂ    クイックコネクタ
７０    中間コネクタ
θ    傾斜角度
Ｃｓ，Ｃｖ    軸線
【図１】
2007297126.tif 000003
【図２】
2007297126.tif 000004
【図３】
2007297126.tif 000005
【図４】
2007297126.tif 000006
【図５】
2007297126.tif 000007
【図６】
2007297126.tif 000008
【図７】
2007297126.tif 000009